【手続補正書】
【提出日】平成30年8月8日(2018.8.8)
【手続補正１】
【補正対象書類名】特許請求の範囲
【補正対象項目名】全文
【補正方法】変更
【補正の内容】
【特許請求の範囲】
【請求項１】
少なくとも１つのエネルギー保存ユニットと、
前記少なくとも１つのエネルギー保存ユニットに連結されて、少なくとも１つの範囲延長発電機に連結されるように構成された分配バスと、
前記分配バスに連結されて、前記分配バスから引き出された電気を使用して航空機に推力を供給する少なくとも１つの電気プロパルサーと、を備える、航空機用のパワートレイン。
【請求項２】
前記分配バスに連結された前記少なくとも１つの範囲延長発電機をさらに備える、請求項１に記載のパワートレイン。
【請求項３】
前記少なくとも１つの範囲延長発電機及び前記少なくとも１つのエネルギー保存ユニットに通信可能に連結されたハイブリッドエネルギープランナーであって、前記ハイブリッドエネルギープランナーは、前記少なくとも１つのエネルギー保存ユニット内に保存された電荷の量に部分的に基づいて飛行経路のためのエネルギー計画を特定するように構成され、前記エネルギー計画は、前記飛行経路の過程上で前記電荷の量を徐々に消耗させるように構成される、ハイブリッドエネルギープランナーをさらに備える、請求項２に記載のパワートレイン。
【請求項４】
リアルタイム制御ストラテジを特定して、前記少なくとも１つの範囲延長発電機及び前記少なくとも１つのエネルギー保存ユニットにわたってエネルギー分配を最適化するように構成されたハイブリッド出力マネージャーをさらに備える、請求項２に記載のパワートレイン。
【請求項５】
少なくとも前記少なくとも１つの範囲延長発電機及び前記少なくとも１つのエネルギー保存ユニットに通信可能に連結されたパワートレイン最適化及び制御システム（ＰＯＣＳ）であって、前記ＰＯＣＳは、前記少なくとも１つの範囲延長発電機によって前記分配バスに供給される電気の第１量、及び、前記少なくとも１つのエネルギー保存ユニットによって前記分配バスに供給される電気の第２量を制御するように構成され、
前記ＰＯＣＳは、前記範囲延長発電機及び前記少なくとも１つのエネルギー保存ユニットのうちの少なくとも１つを制御するためにパイロットに統合インターフェースを提供するように構成され、
前記統合インターフェースは、前記少なくとも１つの電気プロパルサーのためにパイロットにより要求された出力を、パワーレバーを介して、前記少なくとも１つの範囲延長発電機によって前記少なくとも１つの電気プロパルサーに供給される電気の第１量まで、及び、前記少なくとも１つのエネルギー保存ユニットによって前記少なくとも１つのプロパルサーに供給される電気の第２量まで、供給するように構成される、請求項２に記載のパワートレイン。
【請求項６】
少なくとも前記少なくとも１つの範囲延長発電機及び前記少なくとも１つのエネルギー保存ユニットに通信可能に連結されたパワートレイン最適化及び制御システム（ＰＯＣＳ）であって、前記ＰＯＣＳは、前記少なくとも１つの範囲延長発電機によって前記分配バスに供給される電気の第１量、及び、前記少なくとも１つのエネルギー保存ユニットによって前記分配バスに供給される電気の第２量を制御するように構成され、
前記少なくとも１つのエネルギー保存ユニット及び前記少なくとも１つの範囲延長発電機の各々について、前記ＰＯＣＳは、前記少なくとも１つのエネルギー保存ユニットについての第１状態及び性能情報、並びに、前記少なくとも１つの範囲延長発電機についての第２状態及び性能情報を示す少なくとも１つの電気信号を受信し、
前記ＰＯＣＳは、前記少なくとも１つのエネルギー保存ユニットについての前記第１状態及び前記性能情報並びに前記少なくとも１つの範囲延長発電機についての前記第２状態及び前記性能情報に少なくとも部分的に基づいて、前記少なくとも１つの範囲延長発電機によって提供された搭載の生成されたエネルギーの前記第１量、及び、前記少なくとも１つのエネルギー保存ユニットによって提供された搭載の保存されたエネルギーの前記第２量を制御する、請求項２に記載のパワートレイン。
【請求項７】
少なくとも前記少なくとも１つの範囲延長発電機及び前記少なくとも１つのエネルギー保存ユニットに通信可能に連結されたパワートレイン最適化及び制御システム（ＰＯＣＳ）であって、前記ＰＯＣＳは、前記少なくとも１つの範囲延長発電機によって前記分配バスに供給される電気の第１量、及び、前記少なくとも１つのエネルギー保存ユニットによって前記分配バスに供給される電気の第２量を制御するように構成され、
前記少なくとも１つのエネルギー保存ユニット及び前記少なくとも１つの範囲延長発電機の各々について、前記ＰＯＣＳは、搭載のエネルギーの第２量を示す電気エネルギーの量を生成するために、前記少なくとも１つのエネルギー保存ユニットに搭載のエネルギーの第１量、及び、前記少なくとも１つの範囲延長発電機によって使用されることが可能な前記航空機に搭載の燃料の量を示す少なくとも１つの電気信号を受信し、
前記ＰＯＣＳは、搭載のエネルギーの前記第１量に少なくとも部分的に基づいて、前記航空機の計画された飛行上で、搭載のエネルギーの前記第２量を選択的にどのように取り出すかを特定する、請求項２に記載のパワートレイン。
【請求項８】
前記少なくとも１つの電気プロパルサーは、
流れダクトと、
電気モーターと、
最小ピッチ角度及び最大ピッチ角度を有する可変ピッチ送風機ブレードを有する送風機ディスクであって、前記電気モーターは前記送風機ディスクに連結され、前記電気モーター及び前記送風機ディスクは前記流れダクト内に配置される、送風機ディスクと、を備える、請求項１に記載のパワートレイン。
【請求項９】
前記最小ピッチ角度は負の角度である、請求項８に記載のパワートレイン。
【請求項１０】
前記送風機ディスクを動作させて前記電気モーターを駆動し、前記航空機のための空気ブレーキを提供するための少なくとも１つのパワートレインコントローラをさらに備える、請求項８に記載のパワートレイン。
【請求項１１】
前記電気モーターが前記送風機ディスクを駆動し続ける間に前記送風機ブレードが負の推力を生成するピッチ角度まで前記可変ピッチ送風機ブレードを移動させることによって、前記可変ピッチ送風機ブレードのうちの少なくとも１つのブレードピッチ角度を制御して逆推進力を提供するための少なくとも１つのパワートレインコントローラをさらに備える、請求項１０に記載のパワートレイン。
【請求項１２】
前記パワートレインは最大連続出力定格を有し、
前記少なくとも１つの範囲延長発電機は、生成されたエネルギー出力レベルで前記航空機の搭載の生成されたエネルギーを提供し、
前記生成されたエネルギー出力レベルは、前記最大連続出力定格の７０％未満である、請求項２に記載のパワートレイン。
【請求項１３】
前記パワートレインは、少なくとも１つの分配バス、電気配線、複数の電気的インターフェース、少なくとも１つの電気モーター、及び少なくとも１つの出力変換器を含むモジュールプラットフォームをさらに含み、
前記複数の電気的インターフェースは、（ｉ）前記少なくとも１つのエネルギー保存ユニット、（ｉｉ）前記少なくとも１つの範囲延長発電機、（ｉｉｉ）前記少なくとも１つの電気モーター、又は、（ｉｖ）前記少なくとも１つの出力変換器のうちの少なくとも１つの、前記少なくとも１つの分配バスへの電気的接続及び前記少なくとも１つの分配バスからの電気的切断を促進し、
前記モジュールプラットフォームは、（ｉ）前記少なくとも１つのエネルギー保存ユニット、（ｉｉ）前記少なくとも１つの範囲延長発電機、（ｉｉｉ）前記少なくとも１つの電気モーター、又は、（ｉｖ）前記少なくとも１つの出力変換器のうちの少なくとも１つの、前記航空機への機械的接続及び前記航空機からの機械的切断を促進する複数の機械的インターフェースを含み、
前記航空機はさらに機体をさらに備え、
前記少なくとも１つのエネルギー保存ユニットは複数のエネルギー保存ユニットを含み、
前記機体は、前記複数のエネルギー保存ユニットの少なくともいくつかの設置、保存及び除去を促進するための複数のアクセス可能な第１ベイを含み、
前記複数のアクセス可能な第１ベイのそれぞれ１つが、前記第１の複数のベイのそれぞれ１つに保存された前記複数のエネルギー保存ユニットの少なくともいくつかの、前記少なくとも１つの分配バス及び前記航空機への電気的及び機械的接続、並びに、前記少なくとも１つの分配バス及び前記航空機からの電気的及び機械的切断を促進するために、第１数の前記複数の電気的インターフェースと、第２数の前記複数の機械的インターフェースと、を含む、請求項２に記載のパワートレインを含む、航空機。
【請求項１４】
前記機体は、少なくとも前記少なくとも１つの範囲延長発電機の設置、保存及び除去を促進するための少なくとも１つのアクセス可能な第２ベイをさらに含み、
前記少なくとも１つのアクセス可能な第２ベイは、前記少なくとも１つのアクセス可能な第２ベイに保存された前記少なくとも１つの範囲延長発電機の、前記少なくとも１つの分配バス及び前記航空機への電気的及び機械的接続、並びに、前記少なくとも１つの分配バス及び前記航空機からの電気的及び機械的切断を促進するために、第３数の前記複数の電気的インターフェースと、第４数の前記複数の機械的インターフェースと、を含み、
前記少なくとも１つの範囲延長発電機は、
少なくとも１つの内燃エンジンと、
前記少なくとも１つの内燃エンジンに機械的に連結された少なくとも１つの発電機と、
前記少なくとも１つの発電機に電気的に連結された少なくとも１つのＡＣ−ＤＣ整流器であって、前記第３数の前記複数の電気的インターフェースの少なくとも１つを介して前記少なくとも１つの分配バスにさらに電気的に連結される少なくとも１つのＡＣ−ＤＣ整流器と、を備え、
前記航空機は、前記少なくとも１つの内燃エンジンに燃料を提供するための少なくとも１つの燃料タンクをさらに備え、前記少なくとも１つの燃料タンクは、前記第４数の前記複数の機械的インターフェースの少なくとも１つを介して前記少なくとも１つの内燃エンジンに連結される、請求項１３に記載の航空機。
【請求項１５】
前記可変ピッチ送風機ディスクは、前記航空機が飛行の巡航部分にある時に１．０２〜１．１０の圧力比で動作する、又は、前記可変ピッチ送風機ディスクの各ブレードは、球状の断面を有する先端部を有する、請求項８に記載のパワートレイン。